(57)【要約】ポイントオブケア衛生順守モジュールは、作動されると、分注ノズルを介して材料を分注する分注容器に取り付けられるように適合された筐体を含む。この筐体は、分注ノズルと動作的に接触して置かれるように構成される枢動作動アームを含む。よって、作動アームが作動されると、材料が分注容器から分注され、作動アームと動作的に接触しているスイッチが作動される。スイッチのトリガがコントローラによって維持されるカウント値を更新し、これが、次いで遠隔コンピュータによって表示され又は得られて、分注容器の使用量を評価することができる。【選択図】図１Ａ
2016515068.tif 000002
【特許請求の範囲】
【請求項１】
作動時に分注ノズルを介して材料を分注する分注容器のための衛生順守モジュールにおいて、
前記分注容器に取り付けられるように適合された筐体と、
前記筐体によって枢動可能に担持される作動アームであって、前記分注ノズルと動作的に接触するように適合されている、作動アームと、
前記筐体によって担持されるスイッチであって、前記作動アームが作動されると前記スイッチが作動されるように、前記作動アームと動作的に接触している、スイッチと、
前記スイッチに連結されるコントローラと、
前記コントローラに連結されるメモリユニットであって、前記スイッチが作動されると更新されるカウント値を記憶するように構成される、メモリユニットと、
前記コントローラに連結されて、前記カウント値を表示する表示装置と、
を備え、
前記作動アームは、作動されると、前記分注容器の前記分注ノズルを作動して、そこから材料を分注し、前記スイッチを作動して、前記カウント値を更新する、衛生順守モジュール。
【請求項２】
前記作動アームが第１の誘導装置及び第２の誘導装置を含み、前記第１及び第２の誘導装置がそれらの間に前記分注容器の前記分注ノズルを受容するように離間される、請求項１に記載の衛生順守モジュール。
【請求項３】
前記作動アームが第１の誘導装置及び第２の誘導装置を含み、前記第１及び第２の誘導装置がそれらの間に前記分注容器の前記分注ノズルを取り外し可能に保持するように離間される、請求項１に記載の衛生順守モジュール。
【請求項４】
前記筐体が第１の保持アーム及び第２の保持アームを含み、前記第１及び第２の保持アームがそれらの間に前記分注容器を取り外し可能に保持するように離間され適合されている、請求項１に記載の衛生順守モジュール。
【請求項５】
前記筐体が第１の受容具及び第２の受容具を含み、前記第１の受容具及び前記第２の受容具がそれらの中に前記分注容器の本体を受容するように離間され適合されている、請求項１に記載の衛生順守モジュール。
【請求項６】
前記筐体が受容空洞を有する基部を備え、前記受容空洞がその中に前記分注容器の本体を受容するように適合されている、請求項１に記載の衛生順守モジュール。
【請求項７】
前記コントローラに連結されるデータポートであって、遠隔計算デバイスと通信して、前記カウント値を転送するように適合されている、データポートをさらに備える、請求項１に記載の衛生順守モジュール。
【請求項８】
作動時に分注ノズルを介して材料を分注する分注容器のための衛生順守モジュールにおいて、
中に前記分注容器を担持するように適合された支持枠と、
前記支持枠に取り付けられる筐体と、
前記筐体によって枢動可能に担持される作動アームであって、前記分注ノズルと動作的に接触するように適合されている、作動アームと、
前記筐体によって担持されるスイッチであって、前記作動アームが作動されると前記スイッチが作動されるように、前記作動アームと動作的に接触している、スイッチと、
前記スイッチに連結されるコントローラと、
前記コントローラに連結されるメモリユニットであって、前記スイッチが作動されると更新されるカウント値を記憶するように構成される、メモリユニットと、
前記コントローラに連結されて、前記カウント値を表示する表示装置と、
を備え、
前記作動アームは、作動されると、前記分注容器の前記分注ノズルを作動して、そこから材料を分注し、前記スイッチを作動して、前記カウント値を更新する、衛生順守モジュール。
【請求項９】
前記作動アームが第１の誘導装置及び第２の誘導装置を含み、前記第１及び第２の誘導装置がそれらの間に前記分注容器の前記分注ノズルを受容するように離間される、請求項８に記載の衛生順守モジュール。
【請求項１０】
前記作動アームが第１の誘導装置及び第２の誘導装置を含み、前記第１及び第２の誘導装置がそれらの間に前記分注容器の前記分注ノズルを取り外し可能に保持するように離間される、請求項８に記載の衛生順守モジュール。
【請求項１１】
前記コントローラに連結されるデータポートであって、遠隔計算デバイスと通信して、前記カウント値を転送するように適合されている、データポートをさらに備える、請求項８に記載の衛生順守モジュール。
【請求項１２】
前記筐体が前記支持枠に取り外し可能に取り付けられる、請求項８に記載の衛生順守モジュール。
【請求項１３】
作動時に分注ノズルを介して材料を分注する分注容器のための衛生順守モジュールにおいて、
前記分注容器に取り付けられるように適合された筐体と、
前記筐体によって枢動可能に担持される作動アームであって、前記分注ノズルと動作的に接触するように適合されている、作動アームと、
前記筐体によって担持されるスイッチであって、前記作動アームが作動されると前記スイッチが作動されるように、前記作動アームと動作的に接触している、スイッチと、
前記スイッチに連結されるコントローラと、
前記コントローラに連結されるメモリユニットであって、前記スイッチが作動されると更新されるカウント値を記憶するように構成される、メモリユニットと、
前記コントローラに連結されるデータポートであって、遠隔計算デバイスと通信して、前記カウント値を転送するように適合されている、データポートと、
を備え、
前記作動アームは、作動されると、前記分注容器の前記分注ノズルを作動して、そこから材料を分注し、前記スイッチを作動して、前記カウント値を更新する、衛生順守モジュール。
【請求項１４】
前記作動アームが第１の誘導装置及び第２の誘導装置を含み、前記第１及び第２の誘導装置がそれらの間に前記分注容器の前記分注ノズルを受容するように離間される、請求項１３に記載の衛生順守モジュール。
【請求項１５】
前記作動アームが第１の誘導装置及び第２の誘導装置を含み、前記第１及び第２の誘導装置がそれらの間に前記分注容器の前記分注ノズルを取り外し可能に保持するように離間される、請求項１３に記載の衛生順守モジュール。
【請求項１６】
前記筐体が第１の保持アーム及び第２の保持アームを含み、前記第１及び第２の保持アームがそれらの間に前記分注容器を取り外し可能に保持するように離間され適合されている、請求項１３に記載の衛生順守モジュール。
【請求項１７】
前記筐体が第１の受容具及び第２の受容具を含み、前記第１の受容具及び前記第２の受容具がそれらの中に前記分注容器の本体を受容するように離間され適合されている、請求項１３に記載の衛生順守モジュール。
【請求項１８】
前記筐体が受容空洞を有する基部を備え、前記受容空洞がその中に前記分注容器の本体を受容するように適合されている、請求項１３に記載の衛生順守モジュール。
【請求項１９】
前記コントローラに連結されるデータポートであって、遠隔計算デバイスと通信して、前記カウント値を転送するように適合されている、データポートをさらに備える、請求項１３に記載の衛生順守モジュール。
【発明の詳細な説明】
【技術分野】
【０００１】
本出願は、２０１３年１月１６日に出願した米国仮特許出願第６１／７５３，１１２号の利益を主張するものであり、その内容は参照として本明細書に組み込まれる。
【０００２】
本発明は、概して、作動可能な分注ノズルを有する分注容器のための衛生順守監視モジュールに関する。具体的には、本発明は、分注容器の作動可能な分注ノズルと動作的に接触して置かれるように構成される作動装置アームを含む取り外し可能なポイントオブケア衛生順守モジュールに関する。より具体的には、本発明は、分注容器の分注ノズル作動の回数を、材料がそこから分注されるときに数える、ポイントオブケア衛生順守モジュールに関する。
【背景技術】
【０００３】
最近、大衆は、疾病及びその伝播にますます関心を持つようになってきており、このため、一般的に、洗浄及び衛生の重要性がますます認識されている。例えば、外食産業における大腸菌、小学校におけるライノウイルス及び医療施設内での院内疾病の伝播に関して、多くの研究で、疾病の伝播を予防する効果的な対策として手の衛生が言及されている。これに応じて、医療業界、外食業界、並びにホテル及び旅行業界は、その人員が、疾病の伝播の予防に効果的である手清浄化という習慣を確実に身に付けるために、その慣習及び手順を検査することを余儀なくされている。
【０００４】
これに応じて、個人が石鹸及び清浄薬を利用できる十分な機会を提供する努力として、多くの機関及び業界が、個人がその手を清浄化及び／又は洗浄し易くするために、清浄薬及び／又は石鹸の使い捨て可能な又は詰め替え可能な（再使用可能な）分注容器を多く提供している。このような分注容器が利用可能であることによって、個人がその手を洗浄及び／又は清浄化する機会が増している一方で、所定の手洗浄衛生基準の順守が未だ欠けている。しかしながら、手の洗浄及び清浄化によってバクテリア及び／又はウイルスの潜在的伝播を最小化するためには、一人の個人が自分の手を適切に清浄化し損なうだけで、このような個人と接触する他者の努力が無効となりかねないため、衛生基準に対する完全な順守が必須である。
【０００５】
残念ながら、所定の衛生基準の順守を保証するためには、ユーザの衛生順守を追跡するように構成された現行の衛生順守監視システムでは、１つ以上の永久設置式の又は取り付け式の石鹸／清浄薬分注器が必要である。残念ながら、このような永久設置式の分注器は、値段が高く、一般的には、管理するのに特殊な訓練が必要である。その上、このような永久設置式の分注器が提供する衛生順守監視機能性を各々の使い捨て可能な又は詰め替え式の分注容器に組み込むことは、さもなければ安価な分注容器を製造できるメーカーにとってかなりのコスト増となる。従って、このような高価な分注容器が広く使用されても、その効用が限られ、好ましくない。
【発明の概要】
【発明が解決しようとする課題】
【０００６】
従って、詰め替え可能もしくは使い捨て可能な分注容器又は他の携帯式分注容器などの分注容器に取り外し可能に取り付けられるように構成されたポイントオブケア衛生順守モジュールを必要とされる。加えて、分注容器に取り外し可能に取り付けられることが可能な電源内蔵式ポイントオブケア衛生順守モジュールを必要とされる。さらにその上、分注容器に取り外し可能に取り付けられることが可能で、低コスト且つ使い易い衛生順守モジュールを必要とされる。
【課題を解決するための手段】
【０００７】
前述に鑑みて、分注容器のための衛生順守モジュールを提供することが、本発明の１つの態様である。
【０００８】
本発明の別の態様は、作動されると、分注ノズルを介して材料を分注する分注容器のための衛生順守モジュールを提供することである。この衛生順守モジュールは、分注容器に取り付けられるように適合された筐体と、筐体によって枢動可能に担持される作動アームであって、分注ノズルと動作的に接触するように適合されている、作動アームと、筐体によって担持されるスイッチであって、作動アームが作動されるとスイッチが作動されるように、作動アームと動作的に接触している、スイッチと、スイッチに連結されるコントローラと、コントローラに連結されるメモリユニットであって、スイッチが作動されると更新されるカウント値を記憶するように構成される、メモリユニットと、コントローラに連結されて、カウント値を表示する表示装置と、を備え、作動アームが作動されると、それが、分注容器の分注ノズルを作動して、そこから材料を分注し、スイッチを作動して、カウント値を更新する。
【０００９】
本発明のさらなる態様は、作動されると、分注ノズルを介して材料を分注する分注容器のための衛生順守モジュールを提供することである。この衛生順守モジュールは、中に分注容器を担持するように適合された支持枠と、支持枠に取り付けられる筐体と、筐体によって枢動可能に担持される作動アームであって、分注ノズルと動作的に接触するように適合されている、作動アームと、筐体によって担持されるスイッチであって、作動アームが作動されるとスイッチが作動されるように、作動アームと動作的に接触している、スイッチと、スイッチに連結されるコントローラと、コントローラに連結されるメモリユニットであって、スイッチが作動されると更新されるカウント値を記憶するように構成される、メモリユニットと、コントローラに連結されて、カウント値を表示する表示装置と、を備え、作動アームが作動されると、それが、分注容器の分注ノズルを作動して、そこから材料を分注し、スイッチを作動して、カウント値を更新する。
【００１０】
本発明のさらに別の態様は、作動されると、分注ノズルを介して材料を分注する分注容器のための衛生順守モジュールを提供することである。この衛生順守モジュールは、分注容器に取り付けられるように適合された筐体と、筐体によって枢動可能に担持される作動アームであって、分注ノズルと動作的に接触するように適合されている、作動アームと、筐体によって担持されるスイッチであって、作動アームが作動されるとスイッチが作動されるように、作動アームと動作的に接触している、スイッチと、スイッチに連結されるコントローラと、コントローラに連結されるメモリユニットであって、スイッチが作動されると更新されるカウント値を記憶するように構成される、メモリユニットと、コントローラに連結されるデータポートであって、遠隔計算デバイスと通信して、カウント値を転送するように適合されている、データポートと、作動アームが作動されると、それが、分注容器の分注ノズルを作動して、そこから材料を分注し、スイッチを作動して、カウント値を更新する。
【００１１】
本発明のこれら及び他の特徴並びに利点は、以下の説明及び添付図面を参照すればよりよく理解されるであろう。
【図面の簡単な説明】
【００１２】
【図１Ａ】本発明の概念による交換式分注容器との使用のためのポイントオブケア順守モジュールの斜視図である。
【図１Ｂ】本発明の概念による表示装置及びデータポートを示す交換式分注容器との使用のためのポイントオブケア順守モジュールの斜視図である。
【図２】本発明の概念によるポイントオブケア順守モジュールの別の斜視図である。
【図３】本発明の概念による交換式分注容器に取り付けられるポイントオブケア順守モジュールの立面図である。
【図４】本発明の概念による交換式分注容器の斜視図である。
【図５】本発明の概念による交換式分注容器に取り付けられる代替例のポイントオブケア順守モジュールの斜視図である。
【図６】本発明の概念によるポイントオブケア順守モジュールによって担持される電気部品のブロック図である。
【図７】本発明の概念によるその正常静止位置における作動装置アームを示す代替例のポイントオブケア順守モジュールの立面図である。
【図８】本発明の概念による分注容器から材料を分注するように、押下又は作動位置において作動装置アームを示す代替例のポイントオブケア順守モジュールの立面図である。
【図９】本発明の概念による交換式分注容器に取り付けられる別の代替例のポイントオブケア順守モジュールの斜視図である。
【図１０】本発明の概念による交換式分注容器に取り付けられるさらに別の代替例のポイントオブケア順守モジュールの斜視図である。
【図１１】本発明の概念による交換式分注容器を選択的に受容するように構成される枠に取り付けられるポイントオブケア順守モジュールのさらに別の実施形態の正面立面図である。
【図１２】本発明の概念による図１１に示されるポイントオブケア順守モジュールの側面立面図である。
【発明を実施するための形態】
【００１３】
分注容器１０のためのポイントオブケア衛生順守モジュールは、一般的に、図面の図１〜３に示すように、数字２０によって参照される。図４に明瞭に示す分注容器１０は、例えば、石鹸、清浄薬、又は保湿剤などのなんらかの所望の液体材料を保持する中空体３０を含む。１つの態様では、分注容器１０は、例えば、使い捨て可能又は詰め替え可能な携帯式分注容器などのなんらかの適切な容器を備え得ることを理解すべきである。中空体３０によって生じた空隙３４中に開口する頸部３２が、本体３０の１つの端部から延長している。ポンプアセンブリ５０が、カラー５４によって頸部３２に対して螺合取り付けされており、作動されると、ユーザが本体３０から材料をポンプで汲み出して、自分の手に入れることができるようになっている。カラー５４は、基部端部５５及びこれと対向する頂部端部５６を含み、これによって、環状のカラー頸部５７がカラー５４の頂部端部５６から延長する。ポンプ又は分注ノズル６０によって提供されるノズル頸部５９に一方の端部が取り付けられるチューブ５８は、一方の端部で、カラー頸部５７を貫通して延長し、チューブ５８の他方の端部では、分注容器１０の本体３０の空隙３４中に担持される液体材料と流体連通するように構成されている。
【００１４】
具体的には、ポンプノズル又は分注ノズル６０は、実質的に平坦な作動基部７０を含み、この基部から延長するノズル端部７４が作動基部７０から分注ポート８０に向且つて下方に延長するにつれ先細になる。従って、分注ノズル６０のノズル端部７４の先細で、且つ湾曲した形状によって、材料が分注ポート８０を介して分注されるときに、分注された材料を、ユーザの手に向けて下方に注ぐことが可能となる。また、カラー５４のカラー頸部５７によって螺合受容されるように構成されている螺合区分８１を含むノズル頸部５９が、作動基部７０から実質的に直角に延長していて、これで、ポンプノズル６０を自身に対して螺号可能に係止している。分注容器１０から材料を分注するには、分注ノズル６０を、係合基部７０を下方に圧迫することによって押下し、下方に押し込み、さもなければ作動し、すると、液体材料が、ポンプアセンブリ５０によって分注容器１０の外にチューブ５８から引き出されて、分注ポート８０から分注される。すなわち、分注ノズル６０は、作動されると、本体３０に取り付けられるカラー５４と相対的に移動する。
【００１５】
分注容器１０の本体３０は、実質的に垂直方向又は少なくとも部分的に垂直方向に頸部３２の環状の基部エッジ９２から放射状に延長する肩区分９０を含むように構成され得ることも理解すべきである。
【００１６】
ここで図１〜３を参照すると、衛生順守モジュール２０は、互いに結合されるときにそれらの間に空洞１３０を形成する外部区分１１０及び内部区分１２０を有する筐体１００を備える。内部区分１２０は、実質的に対向する頂部及び底部エッジ１６０及び１７０、並びに横方向エッジ１７２及び１７４がその境界となる内部表面１４０及び実質的に対向する外部表面１５０を含む。外部区分１１０は、頂部及び底部エッジ１７７及び１７８、並びに横方向エッジ１７９及び１８０がその境界となる内部表面１７５及び外部表面１７６を含む。スイッチ開口１８８は、頂部エッジ１６０に近接する筐体１００の内部区分１２０を貫通して配置される。加えて、それぞれの保持アーム１９０及び１９２は、筐体１００の内部区分１２０の外部表面１５０の各々の横方向エッジ１７２及び１７４に近接する点から延長している。保持アーム１９０、１９２は、それらの間に分注容器１０のカラー５４を保持するように、寸法決めされ、形作られ、離間される。すなわち、保持アーム１９０、１９２は、衛生順守モジュール２０の筐体１００を分注容器１０に固定し、衛生順守モジュール２０の動作を可能にする。あるいは、保持アーム１９０、１９２は、それらの間に分注容器１０の本体３０又は何らかの他の部分を保持するように寸法決めされ得る。さらにその上、底部エッジ１７０に近接する筐体１００の内部区分１２０の外部表面１５０の部分は、凹状もしくは他の外形区分又は部分１９８を含み得ることも理解すべきである。加えて、外形区分又は部分１９８は、また、内部区分１２０の外部表面１５０だけでなく、筐体１００の外部区分１１０の部分を含み得る。外形区分１９８は、分注容器１０の肩区分９０の一部分を収容するように寸法決めされて、衛生順守モジュール２０の筐体１００が分注容器１０上に少なくとも部分的に支持されることを可能にし、一方で、保持アーム１９０、１９２は、衛生順守モジュール２０を分注容器１０に保持するような働きをする。凹状区分１９９が、衛生順守モジュール２０の筐体１００の内部区分１２０の外部表面１５０に配置されて、分注容器１０のカラー５４の弓形の形状を収容し得ることも企図される。
【００１７】
作動装置アーム２１０が枢動可能に担持されるヒンジ２００は、筐体１００の外部区分１１０の頂部エッジ１７７に取り付けられる。作動装置アーム２１０は、ヒンジ２００に取り付けられる底部エッジ２５０、及び頂部エッジ２６０、並びに曲線状横方向エッジ２６２及び２６４がその境界となる、対向する内部及び外部表面２３０、２４０を有する長尺の本体２２０を含む。１つの態様では、作動装置アーム２１０は、分注容器１０のノズル端部７４と同じ湾曲を有するように湾曲している。接触アーム２８０は、底部エッジ２５０に近接する点で作動装置アーム２１０の内部表面２３０から延長している。接触アーム２８０は、筐体１００の内部区分１２０に配置されるスイッチ開口１８８を貫通して受容されるように構成され、衛生順守モジュール２０の取付空洞１３０内に担持されるスイッチ２８４に選択的に接触するように構成される。また、底部エッジ２５０に近接する点で作動装置アーム２１０の内部表面２３０から延長しているのは、ある距離で分離される一対の離間した誘導装置３００及び３１０であり、分注容器１０の分注ノズル６０がそれらの間で受容されることを可能にする。１つの態様では、誘導装置３００、３１０は、分注ノズル６０が、例えば、摩擦ばめ又はスナップばめによってそれらの間に保持されるように、離間され得る。あるいは、誘導装置３００、３１０は、作動装置アーム２１０が分注ノズル６０と動作的に接触しているとき、分注容器の分注ノズル６０が、それに保持されることなく、それらの間に単に誘導されるように、十分に離間され得る。
【００１８】
本発明の別の実施形態では、図５に示されるように、衛生順守モジュール２０は、保持アーム１９０、１９２を肩受容具３２０及び３２４とそれぞれ取り替えるように、構成され得る。具体的には、肩受容具３２０、３２４は、衛生順守モジュール２０の筐体１００の内部区分１２０の外部表面１５０から延長し、分注容器１０のカラー５４が通過することを可能にする間隙３２５によって離間される。加えて、肩受容具３２０、３２４は、中で分注容器１０の肩区分９０を受容するように寸法決めされる受容空洞３２６を提供し、よって筐体１００が、肩区分９０上に支持され、且つ分注容器１０に対して保持されることを可能にする。さらにその上、肩受容具３２０、３２４の受容空洞３２６は、分注容器１０の肩区分９０を摩擦受容するように構成され得、衛生順守モジュール２０の動作中に落ちることなく、衛生順守モジュール２０が分注容器１０にしっかりと取り付けられることを可能にする。
【００１９】
図６に続いて、衛生順守モジュール２０は、筐体１００の空洞１３０内に担持される回路基板３５０を備える監視装置３４８を含む。以下に説明する衛生順守モジュール２０の機能を実施するための必要なハードウェア及びソフトウェアを含む分注器コントローラ４００は、監視装置３４８の回路基板３５０上に担持される。作動装置アーム２１０が以下に説明するように作動されるときに接触アーム２８０によって選択的に作動又はトリガさせるスイッチ２８４は、コントローラ４００に連結される。すなわち、作動装置アーム２１０が作動されるとき、接触アーム２８０と動作連通するように、スイッチ２８４は回路基板３５０上に担持される。１つの態様では、スイッチ２８４は、例えば、マイクロスイッチなどの、何らかの好適なスイッチング装置を備え得る。
【００２０】
何らかの好適な揮発性又は不揮発性メモリを備え得るメモリユニット４１０であって、スイッチ２８４が作動装置アーム２１０によって作動されるごとにコントローラ４００によって更新されるカウント値を記憶するように構成されるメモリユニット４１０は、コントローラ４００に連結される。カウント値を用いて、分注容器１０中の材料の消費に関連した他の使用データを計算することができることを理解すべきである。また、例えば、Ｅｔｈｅｒｎｅｔ、ＷＩＦＩ、又はＢＬＵＥＴＯＯＴＨ型通信インターフェースなどの何らかの好適な有線又は無線通信インターフェースを含み得るデータポート４２０は、コントローラ４００に連結される。あるいは、データポート４２０は、例えば、ＮＦＣ又はＲＦＩＤを含むデータタグ型通信技術を含み得る。
【００２１】
従って、何らかの好適な計算機システムは、メモリユニット４１０に記憶されたカウント値データの通信及び転送（つまり、得ること）を含む様々な機能を衛生順守モジュール２０で実施するために、データポート４２０を介してコントローラ４００にインターフェースされ得る。
【００２２】
衛生順守モジュール２０は、また、コントローラ４００に連結されるＬＣＤ（液晶表示装置）表示装置などの表示装置４３０を含み得る。表示装置４３０は、メモリユニット４１０に記憶されるカウント値、及び衛生順守モジュール２０の動作に関連した様々な他の状況情報を表示するように構成される。図１Ｂに示されるように、ユーザの便宜上、データポート４２０及び表示装置４３０は、筐体１００によって担持され得る。最後に、衛生順守モジュール２０は、例えば、標準電気コンセント、電池、又は光電池によって提供されるＡ．Ｃ．（交流）又はＤ．Ｃ．（直流）電源などの電源４４０によって電力供給される。１つの態様では、電源は光電池を備え得る。別の態様では、メモリユニット４１０に記憶されるカウント値が、作動装置アーム２１０を所定の順序で作動することによってリセットされ得ることが企図される。
【００２３】
よって、衛生順守モジュール２０の構造部品を説明したので、次の考察は、衛生順守モジュール２０を動作させるためのステップを提示する。始めに、筐体１００は、分注容器１０のカラー５４を保持アーム１９０と１９２との間に置くことによって、分注容器１０に取り外し可能に取り付けられる。加えて、筐体１００が外形区分１９８を含む場合、分注容器１０の肩区分９０は、外形区分１９８によって少なくとも部分的に受容され得る。加えて、肩リテーナ３２０、３２４が保持アーム１９０、１９２の代わりに使われる衛生順守モジュール２０の代替例の実施形態では、分注容器１０の肩区分９０は、図７に示されるように、空洞３２６内に受容される。一旦、衛生順守モジュール２０が分注容器１０に取り付けられると、分注容器１０の分注ノズル６０が誘導装置３００、３１０の間に配置されるように、作動装置アーム２１０は回転される。前述したように、分注ノズル６０は、誘導装置３００、３１０の間に保持され得ることを理解すべきである。図８に示されるように、作動装置アーム２１０が、分注容器１０の分注ノズル６０に当てて、さもなければそれと動作的に接触して配置された後、ユーザは、下方に、作動装置アーム２１０を押下するか、さもなければ押し込む。これは、作動装置アーム２１０を下方に回転又は枢動させ、分注ノズル６０が同時に又はほぼ同時に分注容器１０のポンプアセンブリ５０を作動して、材料をノズルポート８０から分注するとき、接触アーム２８０をスイッチ２８４に動作的に接触させ、またそれを作動させる。スイッチ２８４の作動により、コントローラ４００が、カウント値が最後にリセットされて以来起こってきた分注ノズル６０の作動の総回数を表すメモリユニット４１０に記憶されたカウント値を更新する。前述したように、メモリユニット４１０に記憶されるカウント値が、作動装置アーム２１０を所定の順序で作動することによって、又はコントローラ４００に連結されたリセットスイッチを作動することによって、リセットされ得ることが企図される。
【００２４】
本発明の別の実施形態では、ポイントオブケア（ＰＯＣ）衛生順守モジュールは、一般的に、図面の図９に示すように、数字４５０によって参照される。具体的には、順守モジュール４５０は、例えば、テーブルなどの何らかの好適な平面上に静止するように構成される基部筐体４５２を含む。基部筐体４５２は、分注容器１０を基部筐体４５２に対して保持するように、中に分注容器１０の本体３０の一部分を受容するように寸法決めされる受容空洞４５６を含むリテーナ区分４５４を含む。前述したように、枢動可能に作動装置アーム２１０を担持する端部４６２で終端されている頸部４６０は、リテーナ区分４５４から延長している。前述したように、スイッチ２８４が作動装置アーム２１０に接触アーム２８０を介して動作的に連結されるように、監視装置３４８は、基部筐体４５２内に担持される。よって、作動装置アーム２１０が分注ノズル６０に隣接して置かれ、下方に圧迫されるとき、接触アーム２８０は、分注ノズル６０が圧縮される際、監視装置３４８のスイッチ２８４を作動するように移動され、その結果、分注ポート８０からの材料が分注ノズル６０から分注される。従って、前述したように、スイッチ２８４の作動は、コントローラ４００に記憶されるカウント値をインクリメント又は更新する。さらにその上、前述したように、カウント値は、表示装置４３０上で見るために提示され得るか、基部筐体４５２によって有線接続又は無線接続を通して提供されるデータポート４２０を介して遠隔で得られ得る。
【００２５】
本発明のさらに別の実施形態では、ポイントオブケア衛生順守モジュールは、一般的に、図面の図１０に示すように、数字５００によって参照される。順守モジュール５００は、中の空洞５８０を共に画定する、底部区分５３０に対して対向する頂部区分５２０、実質的に対向する前方及び後方区分５４０、５５０、並びに実質的に対向する横方向区分５６０、５７０を有する、筐体５１０を含む。衛生順守モジュール５００は、また、一対の離間した保持アーム６００及び６１０を含み、それらは寸法決めされて、それらの間に上述の分注容器１０のカラー５４を受容且つ保持する。具体的には、保持アーム６００、６１０は、カラー５４を保持するそれらの能力を促進するように、湾曲するか、さもなければ曲線状であり得る。従って、分注容器１０のカラー５４が保持アーム６００、６１０の間に保持されるとき、順守モジュール５００は、分注容器１０によって十分に支持され、分注容器１０に保持される。
【００２６】
続いて、頂部区分５２０は、外部表面６３０を含み、そこから一対の離間した支持区分６４０、６５０が延長する。底部表面６９０に対して対向しており、基部エッジ６９２及び外部エッジ６９４がその境界となる頂部表面６８０を含む長尺の作動装置アーム６７０は、支持区分６４０、６５０の間に枢動可能に取り付けられる。分注容器１０の分注ノズル６０の作動基部７０に接触するように寸法決めされる突出部７００は、作動装置アーム６７０の底部表面９０から延長している。
【００２７】
衛生順守モジュール２０に関して前述した回路基板３５０は、筐体５１０の空洞５８０内に担持される。従って、作動装置アーム６７０は、筐体５１０を貫通して配置されるタブ開口５８６を貫通して移動する作動タブ５８４を含む。具体的には、作動タブ５８４は、材料が分注されるのが望ましい際、作動装置アーム６７０が押下されるときにそれが枢動又は回転するとき、スイッチ２８４を作動するように構成される。
【００２８】
保持アーム６００、６１０がそれらの間に分注容器１０のカラー５４を保持するように、順守モジュール５００の動作中に、それは分注容器１０に取り付けられる。すなわち、保持アーム６００、６１０は、順守モジュール５００を支持及び担持するように、それらの間に分注容器１０のカラー５４を摩擦保持又は圧縮保持するように構成される。次いで、突出部７００が分注ノズル６０の作動基部７０上に接触するように、作動装置アーム６７０は位置付けられる。よって、作動装置アーム６７０を圧縮するかさもなければ下方に押し込むことは、分注ノズル６０が圧縮されるときに作動装置アーム６７０を下方に回転させ、結果として、スイッチ２８４は、材料が分注容器１０の分注ポート８０から分注されるとき、カウント値を更新するように作動される。筐体５１０は、また、前述したように、データポート４２０及び表示装置４３０を含み得ることも理解すべきである。筐体５１０は、分注容器１０が上に又は中に置かれ得る基部を含み得ることも理解すべきである。
【００２９】
本発明の別の実施形態では、ポイントオブケア衛生順守モジュールは、一般的に、図面の図１１〜１２に示すように、数字７００によって参照される。具体的には、衛生順守モジュール７００は、１つ以上の取り付けクリップ又はタブ７２０を含む筐体７１０、及びそれに枢動可能に取り付けられる作動装置アーム２１０を含む。作動装置アーム２１０が、作動装置アーム２１０によって担持される接触アーム２８０を介してスイッチ２８４に動作的に連結されるように、筐体７１０は監視装置３４８を担持する。筐体７１０は、１つ以上の取り付けクリップ又はタブ７２０を介して、ワイヤ枠などの支持枠７６０に選択的に取り付けられるように構成される。具体的には、枠７６０は、保持アーム７６４及び７６６を含み、それらは、間に受容開口７７０を形成する働きをし、その開口は、その中に分注容器１０の本体３０を受容するように構成される。１つ以上の支持アーム７８０が、保持アーム７６４、７６６から実質的に垂直に延長しており、筐体７００が１つ以上の取り付けクリップ又はタブ７２０を介してそれに選択的に取り付けられることを可能にするように提供される。
【００３０】
よって、順守モジュール７００を動作させるために、筐体７１０は、１つ以上の取り付けクリップ又はタブ７２０を介して、支持枠７６０の１つ以上の支持アーム７８０に取り付けられる。一旦、順守モジュール７００の筐体７１０が支持枠７６０に取り付けられると、分注容器１０は、受容開口７７０内に置かれ、そこで、それは、保持アーム７６４、７６６によって適所に保たれる。次いで、作動装置アーム２１０が押下されるとき、分注ノズル６０が圧縮され、材料が分注ポート８０から分注されるように、作動装置アーム２１０は、それが分注ノズル６０と動作的に接触しているように移動される。加えて、作動装置アーム２１０の移動により、また、コントローラ４００に記憶されるカウント値をインクリメントするか、さもなければ更新するように、接触アーム２８０を介してスイッチ２８４が作動又はトリガされる。加えて、カウント値は、表示装置４３０上に提示され得、遠隔計算デバイスによってデータポート４２０を介して有線接続又は無線接続を通してアクセスされ得る。
【００３１】
従って、本発明の１つ以上の実施形態の１つの利点は、ポイントオブケア順守モジュールを、例えば石鹸、清浄薬又は保湿剤などのなんらかの所望の液体材料を保持する使い捨て可能又は詰め替え可能な分注容器に対して取り外し可能に取り付けることが可能であることが理解されるであろう。本発明の別の利点は、ポイントオブケア順守モジュールが、道具を用いることなく、分注容器に対して迅速に且つ容易に取り付けることが可能であることである。本発明の更に別の利点は、分注容器のためのポイントオブケア順守モジュールが、低コストで製造可能であることである。本発明の更に別の利点は、ポイントオブケア順守モジュールが、様々な形状と寸法の分注容器に対して取り付け可能であるように構成されていることである。本発明の更なる利点は、ポイントオブケア順守モジュールは、材料がポンプノズルから分注されるようにポンプノズルが作動されると、分注容器のポンプノズルと動作的に接触し、カウント値を更新するように構成される枢動作動装置アームを利用することである。
【００３２】
従って、発明の目的が、上記の構造及びその使用法によって満たされたことが理解され得るであろう。特許法に従い、最良の形態及び好適な実施形態のみが提示され詳細に説明されたが、本発明はそれらに又はそれらにより制限されないことが理解されよう。従って、本発明の真の範囲及び幅を認知するために、以下の特許請求の範囲に対する参照がなされるべきである。
【図１Ａ】
2016515068.tif 000003
【図１Ｂ】
2016515068.tif 000004
【図２】
2016515068.tif 000005
【図３】
2016515068.tif 000006
【図４】
2016515068.tif 000007
【図５】
2016515068.tif 000008
【図６】
2016515068.tif 000009
【図７】
2016515068.tif 000010
【図８】
2016515068.tif 000011
【図９】
2016515068.tif 000012
【図１０】
2016515068.tif 000013
【図１１】
2016515068.tif 000014
【図１２】
2016515068.tif 000015
【国際調査報告】
2016515068.tif 000016
2016515068.tif 000017
2016515068.tif 000018